(57)【特許請求の範囲】
【請求項１】
給水源から供給される洗浄水により便器を洗浄して汚物を排出する水洗大便器であって、
ボウル形状の汚物受け面と、上縁部を構成するリム部と、このリム部と汚物受け面との間に形成された棚部と、を備えたボウル部と、
このボウル部の下方にその入口が接続され汚物を排出する排水路と、
上記ボウル部の前後方向を中心とした一方の側の後方側に位置すると共に上記ボウル部の棚部上に洗浄水を吐水して旋回流を形成する第１の吐水部と、
上記ボウル部の第１の吐水部より下流側に位置し、上記棚部上に洗浄水を吐水して上記第１の吐水部による旋回流と同一方向の旋回流を形成する第２の吐水部と、
上記給水源から洗浄水を第１の吐水部に供給する第１の通水路と、
上記給水源から洗浄水を第２の吐水部に供給する第２の通水路と、を有し、
上記第２の通水路は、上記第１の吐水部の外側のリム部の内部に形成され、
上記第２の吐水部は、上記ボウル部の前後方向を中心とした他方の側の前方側で上記ボウル部の小さな曲率半径から大きな曲率半径に変化する上記棚部の位置の近傍領域に配置されていることを特徴とする水洗大便器。
【請求項２】
上記第１の吐水部は、水平方向に扁平な開口を備えている請求項１記載の水洗大便器。
【請求項３】
上記第２の通水路は、上記第１の吐水部と同じレベルに形成されている請求項１又は請求項２に記載の水洗大便器。
【請求項４】
上記ボウル部のリム部の内周面は、上記棚部からほぼ垂直方向に延びる平坦面により形成されている請求項１乃至３の何れか１項に記載の水洗大便器。
【請求項５】
更に、上記排水路と対向する箇所に設けられたゼット穴と、このゼット穴に上記給水源から洗浄水を供給する第３の通水路と、を有し、上記第２の通水路が、上記第３の通水路の一部に形成された開口から下流側に形成されている請求項１に記載の水洗大便器。
【発明の詳細な説明】
【技術分野】
【０００１】
本発明は、水洗大便器に係わり、特に、旋回流を形成して洗浄及び汚物の排出を行う水洗便器に関する。
【背景技術】
【０００２】
従来から、例えば、特許文献１に記載されているような、ボウル形状の汚物受け面と、上縁部でありその内周面が内方に向ってオーバーハングしたリム部と、このリム部と汚物受け面との間に形成された棚部とを備えたボウル部と、ボウル部の下方にその入口が接続され汚物をサイホン作用により排出する排水路と、を備えた水洗大便器が知られている。
【０００３】
この特許文献１に記載された水洗大便器は、ボウル部の棚部上に洗浄水を吐水し旋回流を形成する第１の吐水部と、ボウル部の棚部上に第１の吐水部による旋回流の旋回方向と同一方向に洗浄水を吐水する第２の吐水部と、洗浄水タンクから洗浄水を第１の吐水部に供給する第１の通水路と、第１の吐水部の上方のリム部の内部に形成され洗浄水タンクから洗浄水を第２の吐水部に供給する第２の通水路と、を備えている。
【先行技術文献】
【特許文献】
【０００４】
【特許文献１】再公表特許ＷＯ2004/022862号公報
【発明の概要】
【発明が解決しようとする課題】
【０００５】
上述した特許文献１に記載された水洗大便器においては、第１の吐水部から棚部に吐水された洗浄水が、リム部の内周面に沿って旋回するようになっている。ここで、水洗大便器のボウル部の清掃性を向上させるためには、リム部の内周面がオーバーハングしていないか、又は、オーバーハングの度合いが小さいことが望ましい。しかしながら、リム部の内周面がオーバーハングしていない等の場合には、第１の吐水部から吐水された洗浄水が、リム部を越えて外部に飛散するので、このような構造を採用することは困難であった。
【０００６】
さらに、上述した特許文献１の水洗大便器においては、第２の吐水部に洗浄水を供給する第２の通水路が第１の吐水部の上方のリム部の内部に形成されているので、第２の通水路内で発生するエネルギーロスと落差により、第２の吐水部から吐水される洗浄水の流速が低下し、これにより、下流側にあるボウル面を十分に洗浄できないという問題もあった。
【０００７】
そこで、本発明は、従来の水洗大便器が持つ問題点を解決するためになされたものであり、リム部を越えて洗浄水が飛散することを防止し便器の清掃性を向上させた水洗大便器を提供することを目的としている。
【課題を解決するための手段】
【０００８】
上記の目的を達成するために、本発明は、給水源から供給される洗浄水により便器を洗浄して汚物を排出する水洗大便器であって、ボウル形状の汚物受け面と、上縁部を構成するリム部と、このリム部と汚物受け面との間に形成された棚部と、を備えたボウル部と、このボウル部の下方にその入口が接続され汚物を排出する排水路と、ボウル部の前後方向を中心とした一方の側の後方側に位置すると共にボウル部の棚部上に洗浄水を吐水して旋回流を形成する第１の吐水部と、ボウル部の第１の吐水部より下流側に位置し、棚部上に洗浄水を吐水して第１の吐水部による旋回流と同一方向の旋回流を形成する第２の吐水部と、給水源から洗浄水を第１の吐水部に供給する第１の通水路と、給水源から洗浄水を第２の吐水部に供給する第２の通水路と、を有し、第２の通水路は、第１の吐水部の外側のリム部の内部に形成され、第２の吐水部は、ボウル部の前後方向を中心とした他方の側の前方側でボウル部の小さな曲率半径から大きな曲率半径に変化する棚部の位置の近傍領域に配置されていることを特徴としている。
このように構成された本発明においては、給水源から洗浄水を第２の吐水部に供給する第２の通水路を第１の吐水部の外側のリム部の内部に形成するようにしたので、洗浄水の流速を極力低下させることなく第２の吐水部に導くことができ、さらに、第１の吐水部から吐水された洗浄水が最も飛散し易い領域であるボウル部の前後方向を中心とした他方の側の前方側でボウル部の小さな曲率半径から大きな曲率半径に変化する棚部の位置の近傍領域に第２の吐水部を配置したので、第１の吐水部から吐水された洗浄水が、第２の吐水部から吐水される洗浄水により誘導され、これにより、第１の吐水部から吐水された洗浄水がリム部を越えて飛散することを抑制することができる。
【０００９】
本発明において、好ましくは、第１の吐水部は、水平方向に扁平な開口を備えている。
このように構成された本発明においては、第１の吐水部から吐水される洗浄水の上方向の流れ成分を極力なくすることができるので、第１の吐水部から吐水された洗浄水がリム部を越えて飛散することをより効果的に抑制することができる。
【００１０】
本発明において、好ましくは、第２の通水路は、第１の吐水部と同じレベルに形成されている。
このように構成された本発明においては、第２の通水路が第１の吐水部と同じレベルに形成されているので、洗浄水が第２の通水路の流れるときにエネルギーロスが少なくなり、これにより、第２の吐水部から吐水される洗浄水の流速を所望の値に保持することができる。
【００１１】
本発明において、好ましくは、ボウル部のリム部の内周面は、棚部からほぼ垂直方向に延びる平坦面により形成されている。
このように構成された本発明においては、ボウル部のリム部の内周面が棚部からほぼ垂直方向に延びる平坦面により形成されているので、リム部がオーバーハングにより形成されたものよりも、清掃性が向上する。
【００１２】
本発明において、好ましくは、排水路と対向する箇所に設けられたゼット穴と、このゼット穴に給水源から洗浄水を供給する第３の通水路と、を有し、第２の通水路が、第３の通水路の一部に形成された開口から下流側に形成されている。
このように構成された本発明によれば、第１の通水路と第２の通水路を独立して形成することができるので、第１の吐水部と第２の吐水部に供給される洗浄水量を正確に分配することができる。
【発明の効果】
【００１３】
本発明の水洗大便器によれば、リム部を越えて洗浄水が飛散することを防止し便器の清掃性を向上させることが出来る。
【図面の簡単な説明】
【００１４】
【図１】本発明の実施形態による水洗大便器を示す平面図である。
【図２】図１のII−II線に沿って見た断面図である。
【図３】図１のIII−III線に沿って見た断面図（貯水タンクは省略）である。
【図４】図１のIV-IV線に沿って見た部分断面図である。
【図５】図１のV-V線に沿って見た断面図である。
【図６】図１のVI-VI線に沿って見た断面図である。
【図７】本発明の実施形態による水洗大便器のボウル部（棚部）の位置を任意の位置♯０〜♯１５により示した平面図である。
【図８】本発明の他の実施形態による水洗大便器を示す平面図である。
【図９】図８のIX−IX線に沿って見た部分断面図である。
【図１０】は図８のX−X線に沿って見た部分断面図である。
【発明を実施するための形態】
【００１５】
以下、本発明の実施形態による水洗大便器を添付図面を参照して説明する。先ず、本発明の実施形態による水洗大便器の基本構造を図１乃至図３により説明する。ここで、図１は本発明の第１実施形態による水洗大便器を示す平面図であり、図２は図１のII−II線に沿って見た断面図であり、図３は図１のIII−III線に沿って見た断面図（貯水タンクは省略）である。
【００１６】
図１乃至図３に示すように、本実施形態による水洗大便器１は、表面に釉薬層が形成された陶器製であり、下部にスカート部２が形成され、上半部のうち前方にボウル部４が形成され、後方上部に導水路６、後方下部にサイホン作用により汚物を排出する排水路８がそれぞれ形成されている。さらに、水洗大便器１の後方上部には、導水路６に連通する、貯水タンク１０が設けられている。また、この貯水タンク１０内には、排水弁１１が設けられており、操作レバー（図示せず）により開閉するようになっている。なお、本発明は、貯水タンクを備えた水洗大便器以外に、水道水の圧力を使用した、例えば、フラッシュバルブを備えたタイプの水洗大便器等にも適用可能である。
【００１７】
ボウル部４は、ボウル形状の汚物受け面１２と、上縁部を構成するリム部１４と、この汚物受け面１２とリム１４との間に形成された棚部１６を備えている。ここで、リム部１４の内側面１４ａは、上から見て死角になる箇所がないように、棚部１６からほぼ垂直方向に延びる平坦面（スムーズな平面）により形成されている。
【００１８】
ボウル部４の汚物受け面５の中央で溜水の水面下となる箇所には排水路８の入口８ａが開口し、この入口８ａから上昇路８ｂが後方に延び、この上昇路８ｂには下降路（縦管）８ｃが連続し、下降路８ｃの下端は、ジョイント（図示せず）を介して排出管（図示せず）に接続されている。
更に、水洗大便器１には、この排水路８の入口８ａと対向する箇所に汚物を効率的に排水路８に押し込むためのゼット穴１８が設けられている。
【００１９】
導水路６は、便器の前方に向かって、３つの通水路、即ち、詳細は後述する第１の吐水口２０に洗浄水を供給する第１の通水路２４、後述する第２の吐水口２２に洗浄水を供給する第２の通水路２６、上述したゼット穴１８に洗浄水を供給する第３の通水路２８に分岐している。具体的には、導水路６は、その下流側で、第１の通水路（第１の通水路と第２の通水路の共通通水路２５でもある）２４と、第３の通水路２８に分岐し、次に、第１の通水路２４（共通通水路２５の下流側（具体的には後述するリム部１４の隔壁１４ｂの上流端１４ｃ）で、第２の通水路２６が接続されている。
ここで、導水路６の下流側には、エア抜き穴３０が形成され、導水路６内の空気を第１の吐水口２０から外部へ排出できるようになっている。
【００２０】
次に、図１乃至図３に加えて、図４乃至図７を参照して、本実施形態による水洗大便器１の詳細構造を説明する。ここで、図４は図１のIV-IV線に沿って見た部分断面図であり、図５は図１のV-V線に沿って見た断面図であり、図６は図１のVI-VI線に沿って見た断面図であり、図７は本発明の実施形態による水洗大便器のボウル部（棚部）の位置を任意の位置♯０〜♯１５により示した平面図である。
【００２１】
先ず、図７を参照し、第１の吐水口２０及び第２の吐水口２２の位置について説明する。図７において、棚部１６の位置は、反時計回りで♯０〜♯１５により示されている。各位置の間隔は任意であり、第１の吐水口２０の位置を♯０、第２の吐水口２２の位置を♯１０、ボウル部４の前端部の位置を♯７、ボウル部４の後端部の位置を♯１５として示している。
【００２２】
ボウル部４（棚部１６）は、ほぼ楕円形状をしており、前方視のとき左側と右側が対称となっており、また、概略的には、棚部１６の♯１２〜♯２の領域及び♯５〜♯９の領域では相対的に曲率半径が小さく、一方、棚部１６の♯２〜♯５の領域及び♯９〜♯１２の領域では相対的に曲率半径が大きくなっている。また、棚部１６の♯３〜♯１１の領域がボウル部４の前方側であり、棚部１６の♯１１〜♯３の領域がボウル部４の後方側である。
【００２３】
第１の吐水口２０及び第２の吐水口２２の配置位置をボウル部４の曲率半径の大きさとの関係で説明すれば、第１の吐水口２０は、ボウル部４の前後方向を中心とした一方の側（図７において、前方視で左側）のボウル部４の後方側に位置する小さな曲率半径の領域である棚部１６の♯０の位置に配置され、第２の吐水口２２は、他方の側（右側）のボウル部４の小さな曲率半径から大きな曲率半径に変化する棚部１６の位置（♯９）の近傍領域（♯１０）に配置されている。
【００２４】
なお、本実施形態においては、これらの位置以外に、第１の吐水口２０は、棚部１６の♯０から♯２の間の領域、第２の吐水口２２は、棚部１６の♯９〜♯１１の間の領域に配置しても良い。
【００２５】
次に、図４を参照して、第１の吐水口２２の開口形状について説明する。第１の吐水口２２は、水平方向に扁平な形状の開口２２ａを備えており、この開口２２ａの底面はほぼ水平状態となっている。
【００２６】
次に、図１及び図４乃至図６を参照して、第２の吐水口２２へ洗浄水を供給するための第２の通水路２６について説明する。図４に示すように、第２の通水路２６は、第１の吐水口２０と同じレベルにあり、ボウル部４のリム部１４内に設けられた隔壁１４ｂを介して第１の吐水口２０の外側に形成されている。また、図１、図５、図６に示すように、第２の通水路２６は、リム部１４の内部に形成され、反時計回りの方向に延び、第２の吐水口２２の位置まで延びている。なお、この第２の通水路２６のレベルは前端から後端まで同じであり、エネルギーロスが少なくなるように形成されている。
【００２７】
ここで、上述したように、リム部１４の内周面は、棚部１６からほぼ垂直方向に延びる平坦面（スムーズな平面）により形成されているが、本実施形態はこの形状に限定されず、オーバーハングの度合いが小さい平坦面であっても良い。
【００２８】
なお、上述した実施形態においては、ゼット穴１８を形成して、効果的な洗浄を可能としているが、第１の吐水口２０及び第２の吐水口２２のみから棚部１６上に洗浄水を吐水し、このゼット穴１８を設けないようにしてもよい。
【００２９】
次に上述した本発明の実施形態による水洗大便器における作用を説明する。
先ず、水洗大便器の基本的な作用を説明する。最初に、便器洗浄のための操作レバー（図示せず）を操作すると、貯水タンク１０内に設けられた排水弁１１が開き、貯水タンク１０内の洗浄水が導水路６に流入し、導水路６から、第１の通水路２４、第２の通水路２６、第３の通水路２８に分岐して流入する。なお、図１に示すように、第２の通水路２６は、第１の通水路２６の上流側領域から分岐している。
【００３０】
第１の通水路２４に流入した洗浄水は、第１の吐水口２０に到達し、第１の吐水口２０から棚部１６上に吐水される。第２の通水路２４に流入した洗浄水は、リム部１４の内部の空間を通って第２の吐水口２２に到達し、第２の吐水口２２から棚部１６上に吐水される。第３の通水路２８に流入した洗浄水は、ゼット穴１８に到達し、ゼット穴１８から排水路８の入口８ａに向けて噴出するようになっている。
【００３１】
本実施形態による水洗大便器１においては、第１の吐水口２０から吐水された洗浄水により、ボウル部４の♯０から前端♯７を通って♯１０の領域までが洗浄され、さらに、第２の吐水口２２から吐水された洗浄水及び第１の吐水口２０から吐水された洗浄水の一部により、残りの♯１０から♯０の領域が洗浄される。このようにして、本実施形態によれば、第１の吐水口２０及び第２の吐水口２２から吐水される洗浄水により、ボウル部４の全領域を効果的に洗浄することが出来るようになっている。
【００３２】
さらに、ボウル部４において、第１の吐水口２０及び第２の吐水口２２により吐水された洗浄水は、反時計回りの旋回流となるので、ボウル部４内の汚物は、この旋回流の中心付近に集まり、排水路８のサイホン作用による吸引力と、ゼット穴１８から排水路８の入口８ａに向かう流れによる押し込み力により、効果的に排水路８の入口８ａに送りこまれ、排水路８から外部に排出されるようになっている。
【００３３】
（請求項１）
次に、第２の吐水口２２を棚部１６の♯１０（♯９〜♯１１の領域）位置に設けた理由を説明する。図７に示すように、第１の吐水口２０から吐水された洗浄水は、ボウル部４内を矢印Ａ１，Ａ２，Ａ３のように流れる。矢印Ａ１の流れは、棚部１６上を流れ、矢印Ａ２の流れは、少し下方の領域を流れ、矢印Ａ３の流れは、さらに下方の領域を流れる。
また、第２の通水路２６を流れる洗浄水（矢印Ｂ１）は、第２の吐水口２２において、矢印Ｂ２で示す流れとなり、曲率形状に沿って流れる。
【００３４】
ここで、仮に、第２の吐水口２２が存在しない場合には、矢印Ａ１及びＡ２の流れは、ボウル部４の曲率形状に沿って旋回して流れる。しかしながら、矢印Ａ３の流れは、リム部１４に向かってほぼ垂直方向の流れとなるので、破線で示す矢印Ａ４のように、リム部１４を越えて、便器外に飛散することになる。
【００３５】
しかしながら、本実施形態においては、第１の吐水口２０から吐水された洗浄水が最も飛散し易い領域である棚部１６の♯１０（♯９〜♯１１の領域）位置に、第２の吐水口２２を設けたので、矢印Ａ３の洗浄水の流れは、第２の吐水口２２から吐水される洗浄水の流れである矢印Ｂ２の流れにより誘導され、ボウル部４の曲率形状に沿って矢印Ａ５のように流れる。
【００３６】
このようにして、本実施形態においては、第２の吐水口２２から吐水された洗浄水により、第１の吐水口２２から吐水された洗浄水がリム部１４を越えて飛散することを効果的に抑制することができる。
【００３７】
次に、本実施形態において、第１の吐水口２０は、上述したように、水平方向に扁平な開口２０ａを備えているので、第１の吐水口２０から吐水される洗浄水の上方向の流れ成分を極力なくすることができるので、第１の吐水口２０から吐水された洗浄水がリム部１４を越えて飛散することをより効果的に抑制することができる。
【００３８】
次に、本実施形態において、第２の吐水口２２に洗浄水を供給する第２の通水路２６は、第１の吐水口２０と同じレベルに形成されているので、洗浄水が第２の通水路２６の流れるときにエネルギーロスが少なくなり、これにより、第２の吐水口２２から吐水される洗浄水の流速を所望の値に保持することができる。
【００３９】
さらに、本実施形態において、ボウル部４のリム部１４の内周面１４ａは、棚部１６からほぼ垂直方向に延びる平坦面により形成されているので、清掃の際には使い捨ての紙等を使用して簡単に内側面１４ａを拭き取ることができるので、リム部がオーバーハングにより形成された従来のものよりも、清掃性が向上する。
【００４０】
次に、図８乃至図１０により、本発明の他の実施形態による水洗大便器を説明する。図８は本発明の他の実施形態による水洗大便器を示す平面図であり、図９は図８のIX−IX線に沿って見た部分断面図であり、図１０は図８のX−X線に沿って見た部分断面図である。
この他の実施形態による水洗大便器の基本構造は、上述した図１乃至図７に示された水洗大便器と同じであるため、同一部分には同一符号を付し、説明は省略する。
【００４１】
この他の実施形態による水洗大便器においては、第２の吐水口２２に洗浄水を供給するための第２の通水路２６の構造が、上述した実施形態と異なっており、上述した第３の通水路２８の途中から分岐した構造となっている。具体的には、第２の通水路２６は、ゼット穴１８に洗浄水を供給する第３の通水路２８の上流側の壁面に形成された開口２６ａにより、第３の通水路２８から分岐し、この開口２６ａに連通し且つリム部１４内で且つ第１の通水路２４のレベルより低い位置に形成された連通部２６ｂと、この連通部２６ｂに接続され、リム部１４内で且つ第１の通水路２４と同じレベルに形成された通水路２６ｃから構成され、連通部２６ｂと通水路２６ｃとは、若干の上がり傾斜部２６ｅを介して接続されている。
【００４２】
良好な洗浄効果を発揮するためには、第１の通水路２４と第２の通水路２６とに、洗浄水量を正確に分配することが好ましい。本実施形態においては、先ず、上流側で、第１の通水路２４と第３の通水路２８が分岐し、次に、下流側である第３の通水路２８の途中の壁面に形成された開口２６ａ、連通部２６ｂ、上がり傾斜部２６ｅ、通水路２６ｃにより、第２の通水路２６を形成するようにしたので、第１の吐水口２０へ洗浄水を供給する第１の通水路２４と第２の通水路２６とがそれぞれ独立して形成されているので、換言すれば、上述した実施形態のように、共通通水路２５を持たないので、第１の通水路２４と第２の通水路２６に供給される洗浄水量を正確に分配することができる。
なお、第２の通水路２６には、上がり傾斜部２６ｅが形成されているが、大きなエネルギーロスにはならず、第２の吐水口２２から所望の洗浄水の流速を保持することができる。
【００４３】
なお、本発明は、上述したサイホン作用により汚物を排出する便器以外に、サイホン作用を利用しない洗い落し式便器等にも、適用可能である。
【符号の説明】
【００４４】
１  水洗大便器
２  スカート部
４  ボウル部
６  導水路
８  排水路
８ａ  入口
１０  貯水タンク
１１  排水弁
１２  汚物受け面
１４  リム部
１６  棚部
１８  ゼット穴
２０  第１の吐水口
２２  第２の吐水口
２４  第１の通水路
２５  共通通水路
２６  第２の通水路
２６ａ  開口
２８  第３の通水路
【図１】
0005804242.tif 000002
【図２】
0005804242.tif 000003
【図３】
0005804242.tif 000004
【図４】
0005804242.tif 000005
【図５】
0005804242.tif 000006
【図６】
0005804242.tif 000007
【図７】
0005804242.tif 000008
【図８】
0005804242.tif 000009
【図９】
0005804242.tif 000010
【図１０】
0005804242.tif 000011